(57)【要約】【課題】ファイル用紙に穴をあけバンドによってファイル用紙を固定する方式のファイルバインダーであって、表表紙側からも裏表紙側からもファイル用紙を追加したり取り出したり順序を入れ替えることが可能なファイルバインダーならびに、目的のファイル以外をバンドからはずすことなくファイルの任意の位置でファイル用紙を追加したり取り出したり順序を入れ替えることが可能なファイルバインダーを提供する。【解決手段】バンドに通した用紙をとめるためのとめ具を表表紙の側と裏表紙の側の両側に設ける。また、バンドには雄側と雌側の接合部を設けバンドを分離したり接続したりできるようにする。【選択図】図１
2004338142.tif 000002
【特許請求の範囲】
【請求項１】
表表紙の側と裏表紙の側の両側に、バンドに通した用紙をとめるためのとめ具を設けたことを特徴とする両とじファイルバインダー。
【請求項２】
用紙に穴をあけ、その穴にバンドを通してファイルに固定する方式のファイルバインダーにおいて、バンドに雄側と雌側を設け、バンドの雄側と雌側の接続部でバンドを分離したり接続することにより、ファイルの任意の位置での用紙の追加や取り出しが可能であることを特徴とする両とじファイルバインダー
【発明の詳細な説明】
【０００１】
【発明の属する技術分野】
この発明は、表表紙の側ならびに裏表紙の側の両側からファイルを簡易に追加することや取り出すことや順序を入れ替えることができるバンド固定方式のファイルバインダーならびに、バンドに雄側と雌側を設けその接続部の分離や接続によりファイルの任意の位置で用紙の追加や取出しが可能であるファイルバインダーに関するものである。
【０００２】
【従来の技術】
従来より、バインダーにとじようとするファイル用紙に穴を開け、その穴にバンドを通してファイル用紙を固定する方式のファイルバインダーが用いられていた。
【０００３】
【発明が解決しようとする課題】
これは次のような欠点があった。
図５、図６、図７、図８に示すようにバンド（１５）やバンド（２０）を通したファイル用紙やバンド（１５）やバンド（２０）を固定するためのとめ具（１４）や、固定具（１６）によってとめ具（１４）の外面に拘束されていてバンド（１５）やバンド（２０）ととめ具（１４）を固定するためのしめ具（１７）が表表紙（１１）の側または裏表紙（１２）の側のどちらか一方にしか設けられていなかったので、他方の側からファイル用紙を追加して固定しようとしたり、他方の側からファイル用紙を取り出そうとしたり、ファイル用紙の順序を入れ替えようとする場合などに、一度全てのファイル用紙をバンド（１５）やバンド（２０）からはずし、ファイル用紙を追加したり取り出したり順序を入れ替えた後に、再度全てのファイル用紙の穴にバンド（１５）やバンド（２０）を通しなおし、バインダーに固定する手間が必要であった。
また、表表紙の側からも裏表紙の側からもファイル用紙を追加したり取り出したり順序を入れ替えることのできるバンド固定方式のファイルバインダーとしては、図９に示すような、表表紙（２１）の側に表とめ具（２４）や、表固定具（２７）によって表とめ具（２４）の外面に拘束されていてバンド（２６）と表とめ具（２４）を固定するための表しめ具（２８）を設け、裏表紙（２２）の側に裏とめ具（２５）や、裏固定具（２９）によって裏とめ具（２５）の外面に拘束されていてバンド（２６）と裏とめ具（２５）を固定するための裏しめ具（３０）を設け、表中台（２３）ならびに裏中台（３６）に中台切り込み（３１）を有し、表とめ具（２４）に表切り込み（３２）を有し、裏とめ具（２５）に裏切り込み（３３）を有するファイルバインダーがある。この図９に示すようなファイルバインダーは、表しめ具（２８）や裏しめ具（３０）によって表切り込み（３２）や裏切り込み（３３）や中台切り込み（３１）をふさぐことでファイル用紙を固定する。ファイル用紙を固定した状態にあるファイルバインダーに対して、ファイル用紙を追加したり取り出したり順序を入れ替えるためには、表しめ具（２８）や裏しめ具（３０）の一方または両方を移動させて、バンド（２６）を表切り込み（３２）や裏切り込み（３３）の一方または両方と中台切り込み（３１）を通してファイルバインダーから取りはずし、ファイル用紙を追加したり取り出したり順序を入れ替えた後に、バンド（２６）をファイル用紙の穴に通しバンド（２６）を再度表切り込み（３２）や裏切り込み（３３）の一方または両方と中台切り込み（３１）に通し表しめ具（２８）や裏しめ具（３０）の一方または両方を移動させて表切り込み（３２）や裏切り込み（３３）や中台切り込み（３１）をふさいでファイル用紙を固定する。しかし、この図９に示すようなファイルバインダーは、表取り付け具（３４）や接着剤などによって表中台（２３）に表とめ具（２４）が固定されており、裏取り付け具（３５）や接着剤などによって裏中台（３６）に裏とめ具（２５）が固定されており、表中台（２３）と裏中台（３６）の間にファイル用紙を挟んで固定する方式であるため、表中台（２３）と裏中台（３６）の２つの中台を設ける必要があり、ファイルバインダの厚さが厚くなったり、ファイルバインダーの製造コストや販売価格を高価にする要因となっていた。また、ファイルの表表紙（２１）と裏表紙（２２）の任意の中間の位置においてファイル用紙を追加したり取り出したり順序を入れ替えるためには、表表紙（２１）の側または裏表紙（２２）の側の少なくてもどちらか一方の側のファイルを一度全てバンドからはずし、ファイル用紙を追加したり取り出したり順序を入れ替えた後に、再度ファイル用紙の穴にバンドを通しなおす手間が必要であった。
本発明は、これらの欠点を解決するために発明されたものである。
【０００４】
【課題を解決するための手段】
表表紙（１）の側と裏表紙（２）の側の両側に、バンド（６）に通した用紙をとめるためのとめ具を設ける。つまり、バンド（６）ならびにバンド（６）に通した用紙をとめるためのとめ具として、中台（３）の表表紙（１）の側に表とめ具（４）を設け、裏表紙（２）の側に裏とめ具（５）を設ける。また、バンド（６）やバンド（４２）に接合部雄側（４３）と接合部雌側（４４）を設けたり、バンド（６）やバンド（４２）に面テープ雄側（４５）と面テープ雌側（４６）を設ける。
【０００５】
【発明の実施の形態】
以下、本発明の実施の形態について説明する。
（イ）紙やプラスチックなどの材質からなる表表紙（１）ならびに紙やプラスチックなどの材質からなる裏表紙（２）の間に中台（３）を紙やプラスチックなどの材質によって設ける。
（ロ）中台（３）にはプラスチックや布や紐などの材質からなるバンド（６）やバンド（４２）を通すための中台穴（１９）を設ける。
（ハ）中台（３）の表表紙（１）の側に金属やプラスチックなどの材質からなる表とめ具（４）を設け、中台（３）の裏表紙（２）の側に金属やプラスチックなどの材質からなる裏とめ具（５）を設ける。
（ニ）バンド（６）と表とめ具（４）を固定するための金属やプラスチックなどの材質からなる表しめ具（８）を、金属やプラスチックなどの材質からなる表固定具（７）によって表とめ具（４）の外面に拘束し、バンド（６）と裏とめ具（５）を固定するための金属やプラスチックなどの材質からなる裏しめ具（１０）を、金属やプラスチックなどの材質からなる裏固定具（９）によって裏とめ具（５）の外面に拘束する。
本発明は以上のような構成でこれを使用するときは、バンド（６）あるいはバンド（４２）を中台穴（１９）に通した状態で、表とめ具（４）と中台（３）の間や裏とめ具（５）と中台（３）の間にバンド（６）あるいはバンド（４２）が通るように穴をあけバンド（６）あるいはバンド（４２）に通したファイル用紙を挟み、表しめ具（８）ならびに裏しめ具（１０）を移動させて、中台穴（１９）やファイル用紙の穴に通したバンド（６）あるいはバンド（４２）を、表とめ具（４）や裏とめ具（５）ならびに中台（３）に固定して、ファイルをバインダーに固定する。
バンド（６）あるいはバンド（４２）ならびにファイルを固定するためのとめ具を、表表紙（１）の側と裏表紙（２）の側の両側に設け、表表紙（１）の側の表とめ具（４）と裏表紙（２）の側の裏とめ具（５）の両側から固定しているので、どちらか一方のとめ具とバンドの固定をはずすことによって、バンド（６）あるいはバンド（４２）からファイル全体をはずすことをせずに表表紙（１）の側からでも裏表紙（２）の側からでも新たにファイルを追加したりファイルを取り出したり、ファイルの順序を入れ替えることができる。
表とめ具（４）と裏とめ具（５）は同じ材質や形状のものでもよいし、異なる材質や形状のものであってもよい。また、表固定具（７）と裏固定具（９）は同じ材質や形状のものでもよいし、異なる材質や形状のものであってもよい。また、表しめ具（８）と裏しめ具（１０）は同じ材質や形状のものでもよいし、異なる材質や形状のものであってもよい。
中台（３）は、図２に示すように表表紙（１）と裏表紙（２）の間に任意の間隔をもって設けてもよいし、図３に示すように裏表紙（２）の側に設けてもよい。あるいは、図４に示すように表表紙（１）の側に設けてもよい。
表とめ具（４）または裏とめ具（５）のどちらか一方は図１０に示すように、取り付け具（３７）や接着剤などによって中台に固定してもよい。また、図１１に示すように表とめ具（４）または裏とめ具（５）のどちらか一方のみを設け、中台（３）のとめ具を設けない側に固定具（３８）によってしめ具（３９）を中台（３）上に拘束する方式によって、バンドを表表紙側からも裏表紙側からもはずしたり固定することができるようにしてもよい。
あるいは、図１２に示すように中台（３）に中台切り込み（４０）を設け、裏とめ具（５）に裏切り込み（４１）を設け裏とめ具（５）を取り付け具（３７）や接着剤などによって中台（３）に固定する方式によって、バンドを表表紙側からも裏表紙側からもはずしたり固定することができるようにしてもよい。同様に、裏とめ具は図１のように設け、中台（３）に中台切り込み（４０）を設け表とめ具に切り込みを設け取り付け具や接着剤によって中台（３）に固定する方式によってバンドを表表紙側からも裏表紙側からもはずしたり固定することができるようにすることも考えられる。上記の２つの場合、図１３に示すように、裏しめ具（１０）あるいは表しめ具（８）を移動させて切り込みをふさぐとともにバンド（６）あるいはバンド（４２）をしめこみバンド（６）あるいはバンド（４２）を中台（３）などに固定する。
また、バンドとして、図１４に示すように接合部雄側（４３）と接合部雌側（４４）を設け、この接合部においてバンドを分離したり接続したりできるようにする方法が考えられる。このことにより、ファイルの任意の位置においてファイル用紙を追加したり取り出したり順序を入れ替える作業を、目的以外のファイル用紙をバンドからはずすことなく行うことができる。つまり、例えば１００ページからなるファイルの７０ページ目のファイル用紙を取り出したいとする時、１ページから６９ページまではバンド（４２）の接合部雌側（４４）に寄せておき、７０ページから１００ページまでをバンド（４２）の接合部雄側（４３）に寄せておいて、バンド（４２）の接合部の接続をはずし、はずした接合部からファイルの７０ページだけを取り出し、その後にバンドを接続すればよい。
バンド（４２）の接続構造は、ファイル用紙にあける穴を通る大きさであって分離および接続できる構造であれば任意の構成が可能であり、図１５に示すように面テープ雄側（４５）や面テープ雌側（４６）を設ける方法や、その他にも磁石の吸着作用を利用したり、凹凸構造や電話のモジュラージャックのように突起を利用した接続構造などが考えられる。また、衣類用のベルトのような穴と爪を利用した構成も考えられる。なお、面テープとしては雄側および雌側にマジックテープ（登録商標）の雄側および雌側などを用いることなども考えられる。
接続部をもつバンドは、図１や図５や図６や図９や図１０や図１１や図１２のファイルバインダーのバンドの代わりとして用いることなどが考えられる。図１６に図９のファイルバインダーのバンド（２６）に代えて図１４のバンドを用いた場合の本発明の例を示す。
また、バンドはバンドの片面あるいは両面あるいは全ての外面などに滑り止めを設けて、表とめ具や裏とめ具やとめ具とバンドがしっかりと固定されるようにする方法も考えられる。滑り止めは、表とめ具や裏とめ具やとめ具とバンドの間の摩擦が大きくなるような構造であれば任意の構成が考えられる。例えば、滑り止めとしては、溝や突起や凹凸などが考えられる。
【０００６】
【発明の効果】
すでにファイルをバンドに通して固定した状態にあるファイルバインダーに対して、ファイルを表表紙側からも裏表紙側からも追加したり、不要なファイルを表表紙側からも裏表紙側からも取り出したり、ファイルの順序を表表紙側からも裏表紙側も入れ替えることが簡単にできる。また、バンドを分離および接続が可能な構造にすることにより、ファイルの任意の位置においてファイル用紙を追加したり取り出したり順序を入れ替える作業を、目的以外のファイル用紙をバンドからはずすことなく簡単に行うことができる。
【図面の簡単な説明】
【図１】本発明の斜視図の例１
【図２】本発明の横方向の断面図の例１
【図３】本発明の横方向の断面図の例２
【図４】本発明の横方向の断面図の例３
【図５】従来のファイルバインダーの斜視図の例１
【図６】従来のファイルバインダーの斜視図の例２
【図７】従来のファイルバインダーの横方向の断面図の例１
【図８】従来のファイルバインダーの横方向の断面図の例２
【図９】従来のファイルバインダーの斜視図の例３
【図１０】本発明の斜視図の例２
【図１１】本発明の斜視図の例３
【図１２】本発明の斜視図の例４
【図１３】本発明の斜視図の例４の使用形態を示す図
【図１４】本発明のバンドの斜視図の例１
【図１５】本発明のバンドの斜視図の例２
【図１６】本発明の斜視図の例５
【符号の説明】
１  表表紙
２  裏表紙
３  中台
４  表とめ具
５  裏とめ具
６  バンド
７  表固定具
８  表しめ具
９  裏固定具
１０  裏しめ具
１１  表表紙
１２  裏表紙
１３  中台
１４  とめ具
１５  バンド
１６  固定具
１７  しめ具
１８  バンド固定端
１９  中台穴
２０  バンド
２１  表表紙
２２  裏表紙
２３  表中台
２４  表とめ具
２５  裏とめ具
２６  バンド
２７  表固定具
２８  表しめ具
２９  裏固定具
３０  裏しめ具
３１  中台切り込み
３２  表切り込み
３３  裏切り込み
３４  表取り付け具
３５  裏取り付け具
３６  裏中台
３７  取り付け具
３８  固定具
３９  しめ具
４０  中台切り込み
４１  裏切り込み
４２  バンド
４３  接合部雄側
４４  接合部雌側
４５  面テープ雄側
４６  面テープ雌側
【図１】
2004338142.tif 000003
【図２】
2004338142.tif 000004
【図３】
2004338142.tif 000005
【図４】
2004338142.tif 000006
【図５】
2004338142.tif 000007
【図６】
2004338142.tif 000008
【図７】
2004338142.tif 000009
【図８】
2004338142.tif 000010
【図９】
2004338142.tif 000011
【図１０】
2004338142.tif 000012
【図１１】
2004338142.tif 000013
【図１２】
2004338142.tif 000014
【図１３】
2004338142.tif 000015
【図１４】
2004338142.tif 000016
【図１５】
2004338142.tif 000017
【図１６】
2004338142.tif 000018